(57)【特許請求の範囲】
【請求項１】
送風機とこの送風機による空気流を清浄化する空気清浄用フィルタを備えた空調装置に対し、
塵埃やタバコの煙等による空気の汚れを検知し、汚れの度合いに応じた検知出力機能を有する汚れ検知センサと、
この汚れ検知センサの検知出力に応じて当該送風機の送風量を可変する風量可変手段とを設け、
送風機の運転時間と風量別によって決まる係数を乗算して積算運転時間を演算する制御手段により、
この積算運転時間が所定の値に達した場合に報知手段によりフィルタ汚れを報知するようにしたフィルタ汚れ検知装置。
【請求項２】
請求項１に記載のフィルタ汚れ検知装置であって、積算運転時間を不揮発性メモリに記憶する記憶手段を設け、前記不揮発性メモリの内容が所定値に達した場合に報知手段によりフィルタ汚れを報知するようにしたフィルタ汚れ検知装置。
【請求項３】
給気流を形成する送風機と、排気流を形成する送風機と、給排気流間での熱交換を行なう熱交換器と、送風機による空気流を清浄化する空気清浄用フィルタと、
塵埃やタバコの煙等による室内の空気の汚れを検知し、汚れの度合いに応じた検知出力機能を有する汚れ検知センサと、
前記熱交換器を迂回して排気流を通す迂回路と、
この迂回路を開閉する風路変更手段とを備え、
前記汚れ検知センサの検知出力に応じて前記風路変更手段により風路変更するように構成するとともに、前記送風機の運転時間と前記迂回路と別の風路かによって決まる係数を乗算して積算運転時間を演算する制御手段を設け、この積算運転時間が所定の値に達した場合に報知手段によりフィルタ汚れを報知するようにしたフィルタを備えた空調装置。
【請求項４】
請求項３に記載のフィルタを備えた空調装置であって、積算運転時間を不揮発性メモリに記憶する記憶手段を設け、前記不揮発性メモリの内容が所定値に達した場合に報知手段によりフィルタ汚れを報知するようにしたフィルタを備えた空調装置。
【請求項５】
請求項１または２に記載のフィルタ汚れ検知装置を具備したフィルタを備えた空調装置。
【発明の詳細な説明】
【０００１】
【発明の属する技術分野】
本発明は、空気清浄用フィルタを備えた換気機能や循環機能を果たす空調装置等に適したフィルタ汚れ検知装置及びフィルタ汚れ検知装置を備えた空調装置に関するものである。
【０００２】
【従来の技術】
換気装置や空気清浄装置等、空気調和機能を果たす機器には、被処理空気の塵埃等を捕集するフィルタが備えられている。この種の機器のフィルタは目詰りしたり劣化したりすると機器の性能を著しく損なうことになるため、メンテナンスや交換が必要であり、メンテナンス時期や交換時期を報知する機能を具備したものが多い。例えば、文献１（実公平４―２０４９３号公報）には、機器の運転時間を積算し、積算時間が所定時間に達した場合に不揮発性メモリにそのデータを書込み、不揮発性メモリの内容が所定値に達したかどうかを制御ユニットで判断し、所定値に達した時点でフィルタ交換時期としてそれを報知する空調装置が示されている。
【０００３】
また、文献２（特開昭５５―１６０８１３号公報）には、空調機器の運転時間に、風量選択スイッチにより決定される強運転、中運転、弱運転の各送風量率を乗算して積算し、積算運転時間が所定値に達した場合にフィルタのメンテナンス時期としてそれを報知するマイクロコンピュータを利用したフィルタの目詰り検出装置が示されている。さらには、文献３（特開昭６３―８４６６０号公報）には、空気の汚れを検知するセンサによる出力を、制御回路により運転されている間累積的に記憶させ、記憶させた値が一定レベルに達した時点でフィルタのメンテナンス時期として報知するようにした空気清浄機が示されている。
【０００４】
【発明が解決しようとする課題】
上記した文献１のものにおいては、機器の運転時間のみによってフィルタの交換時期を特定するため、汚れの度合いの大きな空気を処理した場合には報知時期が遅過ぎることになり、汚れの度合いの小さな空気を処理した場合には報知時期が早過ぎることになるといった正確性に欠ける問題点がある。また、文献２のものも、運転時間の他にパラメータとして送風量率を採り入れてはいるが、文献１のものと同様に、空気の汚れの度合いには無関係に判定されるため、汚れの度合いが一定であれば問題ないものの、汚れの度合いが変化するごく普通の使用環境にあっては適切なメンテナンス時期を報知できない。
【０００５】
その点、文献３のものは、被処理空気の汚れの度合いを監視しているため、実効性のあるフィルタのメンテナンス報知が可能なものの、運転中の汚れの度合いのみを累積してメンテナンス時期の特定に使っているため、センサに対する依存度が高くセンサが故障したりすると適正な報知は全くできなくなってしまう。また、例えば、窓の開放等の手段で当該室内の空気浄化が行なわれているような場合等では、センサの出力は変化せず、フィルタのメンテナンス時期にも拘らずこれを報知できないといったことも起きうる。
【０００６】
本発明は上記した従来の問題点を解消するためになされたもので、その課題とするところは、空気の汚れの度合いと運転時間に基づいてより実効性の高いフィルタのメンテナンス時期を報知できるフィルタ汚れ検知装置を得ることであり、空気の汚れの度合いと運転時間及び風量に基づいてより実効性の高いフィルタのメンテナンス時期を報知できるフィルタ汚れ検知装置を得ることであり、空気の汚れの度合いと運転時間に基づいて実効性の高いフィルタのメンテナンス時期を報知できるフィルタ汚れ検知装置を備えた空調装置を得ることである。
【０００７】
【課題を解決するための手段】
前記課題を達成するために請求項１の発明は、送風機とこの送風機による空気流を清浄化する空気清浄用フィルタを備えた空調装置に対し、塵埃やタバコの煙等による空気の汚れを検知し、汚れの度合いに応じた検知出力機能を有する汚れ検知センサと、汚れ検知センサの検知出力に応じて送風機の送風量を可変する風量可変手段とを設け、送風機の運転時間と風量別によって決まる係数を乗算して積算運転時間を演算する制御手段により、積算運転時間が所定の値に達した場合に報知手段によりフィルタ汚れを報知するようにする手段を採用する。
【００１０】
前記課題を達成するために請求項２の発明は、請求項１に係る前記手段における積算運転時間を不揮発性メモリに記憶する記憶手段を設け、不揮発性メモリの内容が所定値に達した場合に報知手段によりフィルタ汚れを報知するようにする手段を採用する。
【００１１】
前記課題を達成するために請求項３の発明は、給気流を形成する送風機と、排気流を形成する送風機と、給排気流間での熱交換を行なう熱交換器と、送風機による空気流を清浄化する空気清浄用フィルタと、塵埃やタバコの煙等による室内の空気の汚れを検知し、汚れの度合いに応じた検知出力機能を有する汚れ検知センサと、熱交換器を迂回して排気流を通す迂回路と、迂回路を開閉する風路変更手段とを備え、汚れ検知センサの検知出力に応じて風路変更手段により風路変更するように構成するとともに、送風機の運転時間と迂回路と別の風路かによって決まる係数を乗算して積算運転時間を演算する制御手段を設け、積算運転時間が所定の値に達した場合に報知手段によりフィルタ汚れを報知するようにする手段を採用する。
【００１２】
前記課題を達成するために請求項４の発明は、請求項３に係る前記手段における積算運転時間を不揮発性メモリに記憶する記憶手段を設け、不揮発性メモリの内容が所定値に達した場合に報知手段によりフィルタ汚れを報知するようにする手段を採用する。
【００１３】
前記課題を達成するために請求項５の発明は、請求項１または請求項２に係る前記手段を空調装置に装備する手段を採用する。
【００１４】
【発明の実施の形態】
次に本発明の実施の形態を図面に基づいて説明する。
実施の形態１．
図１，２によって示す本実施の形態１は、熱交換換気装置や空気清浄装置等、空気を浄化するフィルタを備えた空調装置のフィルタのメンテナンス時期を報知するフィルタ汚れ検知装置に関するものである。このフィルタ汚れ検知装置は、図１に示すようにマイクロコンピュータ等により構成された制御回路部１を備えている。この制御回路部１には、その出力端子の一つに空気清浄用フィルタ２に被処理空気を送風する送風機の駆動回路３が接続され、他の出力端子に報知器４（ＬＥＤやブザー等の報知手段）が接続され、送風機の運転と報知器４の動作が制御される。制御回路部１の入力端子の一つには、空気に含まれる塵埃やタバコの煙に反応し抵抗値が変化する汚れ検知センサ５が、他の入力端子には操作部６がそれぞれ接続されている。
【００１５】
制御回路部１には、操作部６により空調装置の運転が指示されたとき、送風機の運転時間をカウントする機能と、空気の汚れの度合いに応じた汚れ検知センサ５の検知出力を取込み、汚れ検知センサ５の検知出力により、空気の汚れ度に対応した汚れ係数の演算を行ない、汚れ係数と送風機の運転時間とを乗算し、積算運転時間を演算する演算処理機能を備えている。
【００１６】
制御回路部１は空気清浄用フィルタ２の汚れを監視し報知する図２のフローチャートによって示すような動作を行なう。即ち、図２におけるＳ１において送風機が運転中かどうかの判定を行ない、運転中でなければＳ１の処理を繰り返し、運転中であればＳ２の処理に進む。Ｓ２では送風機の運転時間ｔをカウントする処理を行ないＳ３へ進む。Ｓ３では運転時間ｔが所定値に達したかどうかを判定し、達していなければＳ２の処理に戻り、達していればＳ４の処理に進む。Ｓ４では汚れ検知センサ５の検知出力を取込みＳ５に進む。Ｓ５では、Ｓ４で読込んだ検知出力が汚れの度合いを示す予め決められた任意の値である汚れ係数ｄを判定する演算処理を行ないＳ６の処理に進む。
【００１７】
Ｓ６では運転時間ｔと汚れ係数ｄを乗算し、積算運転時間Ｔを演算する処理を行ないＳ７に進む。Ｓ７では積算運転時間Ｔをカウントする処理を行ないＳ８の処理に進む。Ｓ８では積算運転時間Ｔが所定値に達したかどうかを判定し、達していなければＳ１の処理に戻り、達していれはＳ９の処理に進み、Ｓ９において報知器４を動作させて動作を終了する。
【００１８】
例えば、汚れ検知センサ５の検知出力を汚れの程度によって３段階に分け、空気がきれいな状態では汚れ係数ｄ１＝１、普通の汚れ状態ではｄ２＝２、かなりの汚れ状態ではｄ３＝３というように、汚れ係数ｄを空気の汚れの度合いに応じて設定しておく。運転時間ｔを１時間とした場合、１時間ごとに、空気の汚れの度合いである汚れ係数ｄと１時間の乗算した演算結果が積算運転時間Ｔとしてカウントされ、１時間ごとに空気の汚れの度合いである汚れ係数がｄ１→ｄ２→ｄ３と変化した場合の積算運転時間Ｔは、Ｔ＝（１×１）＋（１×２）＋（１×３）＝６時間である。汚れ係数ｄ１の状態が３時間続けば、積算運転時間Ｔは、Ｔ＝（１×１）＋（１×１）＋（１×１）＝３時間となり、汚れ係数ｄ３の状態が３時間続けば、積算運転時間Ｔは、Ｔ＝（１×３）＋（１×３）＋（１×３）＝９時間となる。積算運転時間Ｔの所定値を仮に１０００（時間）とした場合、汚れ係数ｄ１の状態が続いたときには、送風機の運転時間ｔが１０００時間となった時点で報知器４が動作し空気清浄用フィルタ２のメンテナンス時期であることを知らせる。これに対して汚れ係数ｄ３の状態が続いたときには、送風機の運転時間ｔが約３３０時間となった時点で報知器４が動作し空気清浄用フィルタ２のメンテナンス時期であることを知らせることになる。
【００１９】
つまり、運転時の空気の汚れの度合いを監視し、空気のきれいな状態での運転が多ければ、空気清浄用フィルタ２は汚れにくく、そのメンテナンスを必要とする状態に達するまでの時間は多くなるので、メンテナンス時期の報知を遅らせることができ、逆に、空気が汚れている状態での運転が多ければ、空気清浄用フィルタ２は汚れ易く、そのメンテナンスを必要とする状態に達するまでの時間は少なくなるので、メンテナンス時期の報知を早めることができる。このように空気の汚れの度合いと運転時間に基づいて、空気清浄用フィルタ２のメンテナンス時期を特定するようにすることにより、実効性と確度の高い報知動作を行なわせることができ、熱交換換気装置や空気清浄装置に適したフィルタ汚れ検知装置が得られる。また、汚れ係数ｄと送風機の運転時間ｔとの乗算による積算運転時間Ｔによりメンテナンス時期を特定するため、汚れ検知センサ５の検知出力の累積によりメンテナンス時期を特定する装置のように、汚れ検知センサ５が故障したりすると適正な報知が全くできなくなってしまうようなこともなく、フィルタ汚れ検知装置の信頼性を補完する機能も具有するものとなる。
【００２０】
実施の形態２．
図３に示す実施の形態２は、実施の形態１のフィルタ汚れ検知装置の制御回路部１の制御動作を変えたものであり、構成上は実施の形態１のものと同じである。従って、実施の形態１のものと同じ部分については実施の形態１のものと同じ符号を用いそれらについての説明は省略する。
【００２１】
この実施の形態２の制御回路部１は、図３のフローチャートにより示すように動作する。即ち、図３におけるＳ１において送風機が運転中かどうかの判定を行ない、運転中でなければＳ１の処理を繰り返し、運転中であればＳ２の処理に進む。Ｓ２では送風機の運転時間ｔをカウントする処理を行ないＳ３へ進む。Ｓ３では汚れ検知センサ５の検知出力を取込みＳ４に進む。Ｓ４では、Ｓ３で読込んだ検知出力が汚れの度合いを示す予め決められた任意の値である汚れ係数ｄを判定する演算処理を行ないＳ５の処理に進む。Ｓ５では初期値の汚れ比較係数Ｄと汚れ係数ｄとの比較を行ない、汚れ比較係数Ｄと汚れ係数ｄが同じかどうかを判定する。
【００２２】
同じであればＳ６へ進み、異なっていればＳ１０へ進む。Ｓ６では運転時間ｔと汚れ比較係数Ｄの乗算する演算処理を行ない、今回の積算運転時間Ｔａを求め、Ｓ７へ進む。Ｓ７では記憶している前回までの積算運転時間Ｔと、今回算出した積算運転時間Ｔａの加算処理を行ない合計の積算運転時間ＴＡを求め、Ｓ８へ進む。Ｓ８では積算運転時間ＴＡが所定値に達したかどうかを判定し、所定値に達したときにはＳ１６に進み、報知器４を動作させて動作を終了する。所定値に達していなければＳ１の処理に戻る。
【００２３】
Ｓ５で汚れ比較係数Ｄと汚れ係数ｄが異なっていればＳ１０において運転時間ｔと汚れ比較係数Ｄを乗算する演算処理を行ない、今回の積算運転時間Ｔｂを求め、Ｓ１１へ進む。Ｓ１１では記憶している前回までの積算運転時間Ｔと今回の積算運転時間Ｔｂを加算する演算処理を行ない、合計の積算運転時間ＴＢを求めＳ１２へ進む。Ｓ１２では積算運転時間ＴＢが所定値に達したかどうかを判定し、達したときはＳ１６へ進み報知器４を動作させて動作を終了する。達していないときは、Ｓ１３へ進み、Ｓ１３において前回までの積算運転時間Ｔへ積算運転時間ＴＢの値を入力する処理と、汚れ比較係数Ｄへ今回の汚れ係数ｄの値を入力する処理と、運転時間ｔのタイマをクリアする処理を行ないＳ１に戻る。なお、Ｓ８の積算運転時間ＴＡの所定値と、Ｓ１２の積算運転時間ＴＢの所定値は同じにしてもよい。
【００２４】
実施の形態１においては、所定の運転時間ｔが経過するごとに汚れ検知センサ５の検知出力から得られる汚れ係数ｄを確認して積算運転時間Ｔをカウントしているが、本実施の形態２では、汚れ検知センサ５の出力から得られる汚れ係数ｄの変化を確認し、変化が有った場合に変化する前までの汚れ係数ｄと運転時間ｔから積算運転時間ＴＢをカウントするものである。効果においては実施の形態１のものと同じである。
【００２５】
実施の形態３．
図４，５に示す実施の形態３は、実施の形態１のフィルタ汚れ検知装置の制御回路部１に図４に示すように積算運転時間Ｔを不揮発性メモリに記憶する記憶手段７を設けた構成であり、これに係る構成以外は実施の形態１のものと同じである。従って、実施の形態１のものと同じ部分については実施の形態１のものと同じ符号を用いそれらについての説明は省略する。
【００２６】
この実施の形態３の制御回路部１は、図５のフローチャートにより示すように動作する。即ち、図５におけるＳ１において送風機が運転中かどうかの判定を行ない、運転中でなければＳ１の処理を繰り返し、運転中であればＳ２の処理に進む。Ｓ２では送風機の運転時間ｔをカウントする処理を行ないＳ３へ進む。Ｓ３では運転時間ｔが所定値に達したかどうかを判定し、達していなければＳ２の処理に戻り、達していればＳ４の処理に進む。Ｓ４では汚れ検知センサ５の検知出力を取込みＳ５に進む。Ｓ５では、Ｓ４で読込んだ検知出力が汚れの度合いを示す予め決められた任意の値である汚れ係数ｄを判定する演算処理を行ない、Ｓ６の処理に進む。Ｓ６では運転時間ｔと汚れ係数ｄを乗算し、積算運転時間Ｔを演算する処理を行ないＳ７に進む。
【００２７】
Ｓ７では積算運転時間Ｔをカウントする処理を行ないＳ８の処理に進む。Ｓ８では積算運転時間Ｔが所定値に達したかどうかを判定し、達していなければＳ１の処理に戻り、達していればＳ９の処理に進み、Ｓ９において記憶手段７の不揮発性メモリに積算運転時間Ｔのデータを書き込む処理を行ないＳ１０へ進む。Ｓ１０では不揮発性メモリの内容が所定値に達したかどうかを判定し、達していればＳ１１において報知器４を動作させて動作を終了する。達していなければＳ１の処理に戻る。
【００２８】
このように積算運転時間Ｔを記憶手段７の不揮発性メモリに記憶させることにより、空調装置の電源が切れるようなことがあっても、積算運転時間Ｔのデータが失われることなく、再度通電された場合に続けて積算運転時間Ｔをカウントすることができ、より適切に空気清浄用フィルタ２のメンテナンス時期を報知することができる。なお、不揮発性メモリの内容をクリアする手段を設けることにより、空気清浄用フィルタ２のメンテナンス後には報知を解除することもできる。これ以外の効果は実施の形態１のものと同じである。また、制御回路部１の制御動作を実施の形態２に示したようにしても、同様な効果が得られる。
【００２９】
実施の形態４．
図６，７によって示す本実施の形態４は、熱交換換気装置や空気清浄装置等、空気を浄化するフィルタを備えた空調装置のフィルタのメンテナンス時期を報知するフィルタ汚れ検知装置に関するものである。このフィルタ汚れ検知装置は、図６に示すようにマイクロコンピュータ等により構成された制御回路部１を備えている。この制御回路部１には、その出力端子の一つに空気清浄用フィルタ２に被処理空気を送風する送風機の駆動回路３が接続され、他の出力端子に報知器４（ＬＥＤやブザー等の報知手段）が接続され、送風機の運転と報知器４の動作が制御される。制御回路部１の入力端子の一つには、空気に含まれる塵埃やタバコの煙に反応し抵抗値が変化する汚れ検知センサ５が接続されている。また、制御回路部１の入出力モードの変換可能な端子の一つには空調装置を運転操作するリモコン８が接続され、他の一つの端子には積算運転時間ＴＡ又は積算運転時間ＴＢを不揮発性メモリに記憶する記憶手段７が接続されている。
【００３０】
駆動回路３は、リモコン８により自動運転モードに設定されたとき、汚れ検知センサ５の検知出力により送風機の送風量を可変制御する。即ち、制御回路部１は自動運転モードが設定され、汚れ検知センサ５の検知出力が低い時には駆動回路３により送風機を小風量で運転させ、汚れ検知センサ５の検知出力が高い時には送風機を大風量で運転させる。
【００３１】
この実施の形態４の制御回路部１は、図７のフローチャートにより示すように動作する。即ち、図７におけるＳ１において送風機が自動運転中かどうかの判定を行ない、自動運転中であればＳ２の処理に進み、自動運転中でなければＳ１の処理を繰り返す。Ｓ２では送風機の運転時間ｔをカウントする処理を行ない、Ｓ４へ進む。Ｓ４では送風量の確認を行なう。例えば、送風機が送風量を弱風量と強風量の二段階で可変するものの場合、Ｓ４では弱風量かどうかを確認し、弱風量であればＳ５に進み、そうでなければＳ６に進む。Ｓ５では風量係数ｎへ弱風量値ｎ１を入力する処理を行ないＳ７に進み、Ｓ６では風量係数ｎへ弱風量値ｎ２を入力する処理を行ないＳ７に進む。Ｓ７では初期の風量比較係数Ｎ、例えばＮ＝１とすると、風量比較係数Ｎと風量係数ｎの比較を行ない、風量比較係数Ｎと風量係数ｎが同じかどうかを判定して、同じであればＳ８に進み、異なっていればＳ１４に進む。Ｓ８では運転時間ｔと風量比較係数Ｎを乗算し、積算運転時間Ｔａを演算する処理を行ないＳ９に進む。
【００３２】
Ｓ９では記憶している前回までの積算運転時間Ｔと、今回算出した積算運転時間Ｔａの加算処理を行ない合計の積算運転時間ＴＡを求めＳ１０へ進む。Ｓ１０では積算運転時間ＴＡが所定値に達したかどうかを判定し、所定値に達したときにはＳ１１に進み、達していなければＳ１に戻る。Ｓ１１では記憶手段７の不揮発性メモリに積算運転時間ＴＡのデータを書き込む処理を行ないＳ１２へ進む。Ｓ１２では不揮発性メモリの内容が所定値に達したかどうかを判定し、達していればＳ１３において報知器４を動作させて動作を終了する。達していなければＳ１の処理に戻る。
【００３３】
Ｓ７で風量比較係数Ｎ＝風量係数ｎでなければ、Ｓ１４において運転時間ｔと風量比較係数Ｎを乗算する演算処理を行ない、今回の積算運転時間Ｔｂを求め、Ｓ１５に進む。Ｓ１５では記憶している前回までの積算運転時間Ｔと今回の積算運転時間Ｔｂを加算する演算処理を行ない、合計の積算運転時間ＴＢを求めＳ１６へ進む。Ｓ１６では積算運転時間ＴＢが所定値に達したかどうかを判定し、達したときはＳ１１へ進み、Ｓ１２から１３によって報知器４を動作させる。達していないときは、Ｓ１７へ進み、Ｓ１７において前回までの積算運転時間Ｔへ積算運転時間ＴＢの値を入力する処理と、風量比較係数Ｎへ今回の風量係数ｎの値を入力する処理と、運転時間ｔのタイマをクリアする処理を行ないＳ１に戻る。
【００３４】
このフィルタ汚れ検知装置では、例えば弱風量における風量係数ｎ１を１、強風量における風量係数ｎ２を２とした場合、強風量運転時、即ち、空気の汚れが多いときの積算運転時間Ｔは、弱運転、即ち、空気の汚れが少ないときより２倍の早さでメンテナンス時期がカウントされ、そして空気清浄用フィルタ２が汚れる時間も早まるため、メンテナンス時期の報知を早めることになる。このフィルタ汚れ検知装置における汚れ検知センサ５の検知出力は、送風機の風量制御を司るソフトウエアの部分と共用できるため、実施の形態１又は実施の形態３のものの効果に加えてフィルタ汚れ検知に関するソフトウエアを省略できる効果もある。
【００３５】
また、積算運転時間ＴＡを記憶手段７の不揮発性メモリに記憶させることにより、空調装置の電源が切れるようなことがあっても、積算運転時間ＴＡのデータが失われることなく、再度通電された場合に続けて積算運転時間ＴＡをカウントすることができ、より適切に空気清浄用フィルタ２のメンテナンス時期を報知することができる。そして、不揮発性メモリの内容をクリアする手段を設けることにより、空気清浄用フィルタ２のメンテナンス後には報知を解除することもできる。なお、送風機が三段階、四段階の送風量切換え機能を有していれば、それに対応した風量係数ｎを任意に設定することにより、より適切で実効性のあるメンテナンス時期の報知を行なうことができる。
【００３６】
実施の形態５．
図８，９によって示す本実施の形態５は、給排気流間で連続的な熱交換を可能に構成した熱交換換気装置に関するものである。熱交換換気装置の本体９内には、室内の空気を取入れ室外へ排気するための排気風路１０と、室外の空気を取込み室内に給気するための給気風路１１とが形成されている。給気風路１１の一部と排気風路１０の一部とは内蔵の熱交換器１２の二系統の流体通路で構成されている。排気風路１０には排気流を形成する送風機１３が、給気風路１１には給気流を形成する送風機１４がそれぞれ設けられている。排気風路１０には熱交換器１２を迂回して排気流を通す迂回路１５が形成され、この迂回路１５を開閉する電動ダンパ等の風路変更手段１６が備えられている。そして、給気流や排気流を清浄化する空気清浄用フィルタ２が給気風路１１と排気風路１０に設けられ、給気側の空気清浄用フィルタ２の汚れを検知するフィルタ汚れ検知装置が組込まれている。なお、このフィルタ汚れ検知装置の基本構成は実施の形態４で示したものと同じである。従って、実施の形態４のものと同じ部分については実施の形態４のものと同じ符号を用いそれらについての説明は省略する。
【００３７】
この熱交換換気装置においては、風路変更手段１６を開放し排気流を、迂回路１５により熱交換器１２を迂回させて排気するときは、熱交換器１２による圧力損失が少ないため熱交換器１２を通すときよりも排気能力が高くなるようになっている。そして、リモコン８により、自動運転モードに設定されたとき、汚れ検知センサ５の検知出力により風路変更手段１６が開閉制御される。即ち、制御回路部１は自動運転モードが設定され、汚れ検知センサ５の検知出力が低い時には駆動回路（図示しない）により風路変更手段１６を閉止させ、汚れ検知センサ５の検知出力が高い時には風路変更手段１６を開放して迂回路１５を開放し換気能力を高くする。
【００３８】
この実施の形態５のフィルタ汚れ検知装置の制御回路部１は、図９のフローチャートにより示すように動作する。即ち、図９におけるＳ１において送風機１４が自動運転中かどうかの判定を行ない、自動運転中であればＳ２の処理に進み、自動運転中でなければＳ１の処理を繰り返す。Ｓ２では送風機１４の運転時間ｔをカウントする処理を行ない、Ｓ４へ進む。Ｓ４では風路変更手段１６の状態から迂回路１５が閉じているかどうかが判定される。Ｓ４で迂回路１５が閉じていればＳ５に進み、そうでなければＳ６に進む。Ｓ５では風路係数ｖへ熱交換風路値ｖ１を入力する処理を行ないＳ７に進み、Ｓ６では風路係数ｖへ熱交換風路値ｖ２を入力する処理を行ないＳ７に進む。Ｓ７では初期の風路比較係数Ｖ、例えばＶ＝ｖ１とすると、風路比較係数Ｖと風路係数ｖの比較を行ない、風路比較係数Ｖと風路係数ｖが同じかどうかを判定して、同じであればＳ８に進み、異なっていればＳ１４に進む。
【００３９】
Ｓ８では運転時間ｔと風路比較係数Ｖを乗算し、積算運転時間Ｔａを演算する処理を行ないＳ９に進む。Ｓ９では記憶している前回までの積算運転時間Ｔと、今回算出した積算運転時間Ｔａの加算処理を行ない合計の積算運転時間ＴＡを求め、Ｓ１０へ進む。Ｓ１０では積算運転時間ＴＡが所定値に達したかどうかを判定し、所定値に達したときにはＳ１１に進み、達していなければＳ１に戻る。Ｓ１１では記憶手段７の不揮発性メモリに積算運転時間ＴＡのデータを書き込む処理を行ないＳ１２へ進む。Ｓ１２では不揮発性メモリの内容が所定値に達したかどうかを判定し、達していればＳ１３において報知器４を動作させて動作を終了する。達していなければＳ１の処理に戻る。
【００４０】
Ｓ７で風路比較係数Ｖ＝風路係数ｖでなければ、Ｓ１４において運転時間ｔと風路比較係数Ｖを乗算する演算処理を行ない、今回の積算運転時間Ｔｂを求め、Ｓ１５に進む。Ｓ１５では記憶している前回までの積算運転時間Ｔと今回の積算運転時間Ｔｂを加算する演算処理を行ない、合計の積算運転時間ＴＢを求めＳ１６へ進む。Ｓ１６では積算運転時間ＴＢが所定値に達したかどうかを判定し、達したときはＳ１１へ進み、Ｓ１２から１３によって報知器４を動作させる。達していないときは、Ｓ１７へ進み、Ｓ１７において前回までの積算運転時間Ｔへ積算運転時間ＴＢの値を入力する処理と、風路比較係数Ｖへ今回の風量係数ｖの値を入力する処理と、運転時間ｔのタイマをクリアする処理を行ないＳ１に戻る。
【００４１】
このフィルタ汚れ検知装置では、例えば熱交換器１２を通る風路における風路係数ｖ１を１、迂回路１５を通る風路における風路係数ｖ２を２とした場合、迂回路１５が開放している時、即ち、空気の汚れが多いときの積算運転時間Ｔは、熱交換器１２を通しての運転、即ち、空気の汚れが少ないときより２倍の早さでメンテナンス時期がカウントされ、そして空気清浄用フィルタ２が汚れる時間も早まるため、そのメンテナンス時期の報知を早めることになる。このフィルタ汚れ検知装置における汚れ検知センサ５の検知出力は、風路変更手段１６の風量制御を司るソフトウエアの部分と共用できるため、フィルタ汚れ検知に関するソフトウエアを省略できる効果もある。
【００４２】
また、積算運転時間ＴＡを記憶手段７の不揮発性メモリに記憶させることにより、熱交換換気装置の電源が切れるようなことがあっても、積算運転時間ＴＡのデータが失われることなく、再度通電された場合に続けて積算運転時間ＴＡをカウントすることができ、より適切に空気清浄用フィルタ２のメンテナンス時期を報知することができる。なお、不揮発性メモリの内容をクリアする手段を設けることにより、空気清浄用フィルタ２のメンテナンス後には報知を解除することもできる。
【００４３】
【発明の効果】
請求項１の発明によれば、空気の汚れの度合いと運転時間に基づいてより実効性の高い空気清浄用フィルタのメンテナンス時期を報知できるフィルタ汚れ検知装置が得られる。
【００４４】
請求項２の発明によれば、空気の汚れの度合いと運転時間に基づいてより実効性と確実性の高い空気清浄用フィルタのメンテナンス時期を報知できるフィルタ汚れ検知装置が得られる。
【００４５】
請求項３の発明によれば、空気の汚れの度合いと運転時間と風量に基づいてより実効性の高い空気清浄用フィルタのメンテナンス時期を報知できるフィルタ汚れ検知装置が得られる。
【００４６】
請求項４の発明によれば、請求項３に係る前記効果とともに空気清浄用フィルタのメンテナンス時期の報知に関する確実性が増す。
【００４７】
請求項５の発明によれば、空気の汚れの度合いと運転時間に基づいて実効性の高い空気清浄用フィルタのメンテナンス時期を報知できるフィルタ汚れ検知装置を備えた空調装置が得られる。
【００４８】
請求項６の発明によれば、請求項５に係る前記効果とともに空気清浄用フィルタのメンテナンス時期の報知に関する確実性が増す。
【００４９】
請求項７の発明によれば、空気の汚れの度合いと運転時間に基づいて実効性の高い空気清浄用フィルタのメンテナンス時期を報知できるフィルタ汚れ検知装置を備えた空調装置が得られる。
【図面の簡単な説明】
【図１】  実施の形態１のフィルタ汚れ検知装置の構成図である。
【図２】  実施の形態１のフィルタ汚れ検知装置の動作を示すフロチャートである。
【図３】  実施の形態２のフィルタ汚れ検知装置の動作を示すフロチャートである。
【図４】  実施の形態３のフィルタ汚れ検知装置の構成図である。
【図５】  実施の形態３のフィルタ汚れ検知装置の動作を示すフロチャートである。
【図６】  実施の形態４のフィルタ汚れ検知装置の構成図である。
【図７】  実施の形態４のフィルタ汚れ検知装置の動作を示すフロチャートである。
【図８】  実施の形態５の熱交換換気装置の構成図である。
【図９】  実施の形態５のフィルタ汚れ検知装置の動作を示すフロチャートである。
【符号の説明】
１  制御回路部、  ２  空気清浄用フィルタ、  ３  駆動回路、  ４  報知器、  ５  汚れ検知センサ、  ７  記憶手段、  １０  排気風路、  １１  給気風路、  １２  熱交換器、  １４  送風機、  １５  迂回路、  １６  風路変更手段。
【図１】
0004230039.tif 000002
【図２】
0004230039.tif 000003
【図３】
0004230039.tif 000004
【図４】
0004230039.tif 000005
【図５】
0004230039.tif 000006
【図６】
0004230039.tif 000007
【図７】
0004230039.tif 000008
【図８】
0004230039.tif 000009
【図９】
0004230039.tif 000010